(57)【特許請求の範囲】
【請求項１】
衣類を収容し水平又は傾斜した回転中心軸を有する回転ドラムと、前記回転ドラムを回転自在に収容するプラスチック製の水槽と、前記回転ドラムを駆動するモータとを備え、前記回転ドラムの回転を支持する軸受を保持した軸受保持部材の外周側にフランジ部を延設し、前記フランジ部の外周近傍には環状の凸リブを設け、前記水槽は、前記軸受保持部材および前記フランジ部がインサートされて成形されるとともに、前記フランジ部の前記凸リブにより前記水槽との密着度を高め、前記凸リブに近接して補強部材をネジ止め可能なボス部を、前記水槽に形成してなるドラム式洗濯機。
【発明の詳細な説明】
【技術分野】
【０００１】
本発明は、回転軸方向が略水平又は傾斜方向になるようにして水槽内に回転自在に配置された回転ドラムを備えたドラム式洗濯機に関するものである。
【背景技術】
【０００２】
従来の、この種のドラム式洗濯機は、円筒形に形成され多数の通水口を形成しかつ内周壁の複数箇所に突出して設けた撹拌突起を有する回転ドラムと、その回転ドラムを、その回転軸方向が略水平又は傾斜方向になるようにして回転自在に収納する水槽を備え、その回転ドラムを回転させることにより、ドラム内に収容された洗濯物を撹拌突起に引っ掛けて持ち上げ、持ち上げられた洗濯物が適当な高さから落下することによって洗濯物が叩き洗いされ、脱水時は回転ドラムの高速回転にて遠心脱水を行うようになっている（例えば、特許文献１参照）。
【特許文献１】特開平０９−２１５８９４号公報
【発明の開示】
【発明が解決しようとする課題】
【０００３】
図４は従来のドラム式洗濯機の構成を示すもので以下図面に従って従来例の構成と解決しなければならない課題につき説明する。
【０００４】
洗濯槽兼脱水槽を兼ねる円筒形の回転ドラム１は、外周部に多数の通水口２を全周面に設け、水槽３内に回転自在に配設している。回転ドラム１の回転中心には回転軸４を固着し、水槽３の外底部に固着した、モータ５とベルト２１で駆動される従動プーリ２２と連接している。
【０００５】
水槽３は、ばね体８にて外箱７から垂下支持されつつ、かつダンパー２３にて防振支持されている。回転ドラム１に回転を伝達する回転軸４は軸受け２４にて支持され、前記軸受け２４は水槽３の背面外側に固着した水槽カバー２５内に保持されている。
【０００６】
即ち上記水槽カバー２５は、水槽３を支えるとともに、回転ドラム１の高速回転を支持する軸受け２４を支える軸受け保持部２５ａを一体または別部材で構成している為、強度を有する材質で、水槽３の側面外部のほぼ全面を覆う構成としている。
【０００７】
このような従来のドラム式洗濯機は、回転ドラム１の回転軸４を保持する軸受保持部分は、強度重視の面から水槽３の背面外側にこの水槽背面の投影面積とほぼ同等の大きさに形成した水槽カバー２５としてネジ止め等で取り付けられたものであったため、該軸受保持部分２５ａは大型で重量も重い頑丈な構造物となっており、水槽カバー２５、軸受保持部２５ａともに高価なものとなる課題を有していた。
【０００８】
しかも、ドラム内の衣類の片寄りアンバランスの状態が大きい場合や回転数が高速の場合に、水槽の軸受保持部材取り付け部の近傍の応力値が大きくなったり、変形ポイントが集中したりするため、信頼性を確保するうえで、アンバランス状態の起動性能を問題の無い限界のレベルまでおとしたり、脱水性能を確保できうる限界のレベルまでドラムの回転数を下げたりしていた。
【０００９】
特にこの種の構造は洗濯機の洗濯容量、脱水回転数の多様化、等々機種の種類が多様化しても、生産性上の観点から標準化させねばならない部材でもあったが、軸受保持部材を並びに水槽カバーの標準化を図る上で、より高度な脱水性能を追求するには信頼性上解決すべき課題があった。
【００１０】
本発明は、前記従来の課題を解決するもので、軸受保持部材として小型化を実現させ原価力を向上させて軸受保持部材をインサートした水槽の標準化を図った上で、より高度な脱水性能を追求する機種にも信頼性の確保が十分できうるドラム式洗濯機を提供することを目的とする。
【課題を解決するための手段】
【００１１】
前記従来の課題を解決するために、本発明のドラム式洗濯機は、衣類を収容し水平又は傾斜した回転中心軸を有する回転ドラムと、前記ドラムを回転自在に収容するプラスチック製の水槽と、前記回転ドラムを駆動するモータとを備え、前記回転ドラムの回転を支持する軸受を保持した軸受保持部材の外周側にフランジ部を延設し、前記フランジ部の軸受保持部材の外周近傍に環状の凸リブを設け、前記水槽は、前記軸受保持部材および前記フランジ部をインサート成形して一体に構成し、前記フランジ部の前記凸リブにより前記水槽との密着度を高め、前記凸リブに近接して補強部材をネジ止め可能なボス部を、前記水槽に形成したものである。
【発明の効果】
【００１２】
本発明のドラム式洗濯機は、水槽と小型化した軸受保持部材からなり、該軸受保持部材およびフランジ部を水槽にインサート成形して原価力を向上させ、フランジ部の外周近傍に形成した環状の凸リブにて水槽との密着度を高めることにより、軸受保持部材の外周付近の応力を緩和させ、高度な脱水性能を追求する機種には、水槽の軸受保持部材の外周近傍に形成した環状の凸リブに近接して補強部材をネジ止め可能なボス部を形成することにより、補強部材を追加可能として信頼性の確保をするとともに、水槽カバーという部材を無くし、コスト面及び標準化の向上が図ることができる。
【発明を実施するための最良の形態】
【００１３】
第１の発明は、衣類を収容し水平又は傾斜した回転中心軸を有する回転ドラムと、前記回転ドラムを回転自在に収容するプラスチック製の水槽と、前記回転ドラムを駆動するモータとを備え、前記回転ドラムの回転を支持する軸受を保持した軸受保持部材の外周側にフランジ部を延設し、前記フランジ部の外周近傍には環状の凸リブを設け、前記水槽は、前記軸受保持部材および前記フランジ部がインサートされて成形されるとともに、前記フランジ部の前記凸リブにより前記水槽との密着度を高め、前記凸リブに近接して補強部材をネジ止め可能なボス部を、前記水槽に形成してなることにより、該軸受保持部材およびフランジ部を水槽にインサート成形して原価力を向上させ、フランジ部の外周近傍に形成した環状の凸リブにて水槽との密着度を高めることにより、軸受保持部材の外周付近の応力を緩和させ、高度な脱水性能を追求する機種には、水槽の軸受保持部材の外周近傍に形成した環状の凸リブに近接して補強部材をネジ止め可能なボス部を形成することにより、補強部材を外方より追加可能としてあるので信頼性の確保が十分でき、標準化の向上を図ることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるドラム式洗濯機に概略断面図、図２は、同ドラム式洗濯機の要部断面図である。図３は同ドラム式洗濯機の水槽部断面図である。
【００１６】
図１、２において、ドラム式洗濯機３１の筐体３２内に、サスペンション２８および防振ダンパー２９によって水槽３３が垂下支持され、前記水槽３３内には、有底円筒形に形成されたドラム３４が、その軸心方向を正面側から背面側に向けて下向きに傾斜させて回転自在に配設されている。前記水槽３３の前面側には、開口部３５を形成する水槽カバー３６が配置され、前記開口部３５に通じる衣類出入口が形成され、窓部３７で前記開口部３５を開閉自在に閉塞している。
【００１７】
前記回転ドラム３４には、その周壁に水槽３３内に通じる多数の通水口３９が形成され、内周面の複数位置に撹拌突起３８が設けられている。このドラム３４は水槽３３の底面側に取り付けられたモータ４０と該モータ４０のシャフトに取り付けられたモータープーリ４１とこのモータープーリ４１に懸架されたベルト４２によって正転及び逆転方向に回転駆動される。前記回転ドラム３４の背面には、前記水槽３３にインサート成形された軸受保持部材４３の軸受Ａ５３と軸受Ｂ５４に圧入されたドラムシャフト４５に固定されるドラムフランジ４６が固着され回転ドラム３４の回転を保持している。
【００１８】
前記軸受保持部材４３はその外周側にフランジ部４７を延設し、このフランジ部４７には複数個の透孔４７ａが設けられ、フランジ部４７の外周付近には環状の凸リブ４８を設けているが、これは水槽３３とのインサート成形の密着度を高める為の構成でもある。
【００１９】
前記水槽３３には、前記軸受保持部材４３の凸リブ４８に近接してボスＡ４９が形成され、更にその外側にボスＢ５０が形成されている。また、水槽３３自体の強度向上のため、外面には多数のリブ３３ａを一体形成しているが、これは従来例（図４）での水槽カバー２５の代わる強度を保持させる為である。また水槽３３はプラスチック材あるいはアルミ材等の材質で加工することが出来るので生産性も向上できる。
【００２０】
図３にて補強部材の取り付けを説明すると、水槽３３に取り付け可能とした鋼板等にてなる補強部材５１の取り付け状態を示しており、水槽３３の凸リブ４８に近接してボス部Ａ４９とネジ５５で、さらに外側のボス部Ｂ５０にてネジ５６で、それぞれ複数箇所で締結固着されている。
【００２１】
上記構成によるドラム式洗濯機の動作を説明する。
【００２２】
窓部３７を開いて回転ドラム３３内に洗濯物及び洗剤を投入してドラム式洗濯機３１の運転を開始すると、給水弁４４に通電され動作し、水槽３３内には所定時間に所定量の注水がなされ、モータ４０により回転ドラム３４が回転駆動されて洗濯行程が行われる。この時、回転ドラム３４の回転により、回転ドラム３４内に収容された洗濯物は回転ドラム３４の内周壁に設けられた撹拌突起３８によって回転方向に持ち上げられ、持ち上げられた適当な高さ位置から落下する撹拌動作が繰り返される。
【００２３】
所要の洗濯時間の後、汚れた洗濯液は排出され、回転ドラム３４を高速回転させる脱水動作により洗濯物に含まれた洗濯液を遠心脱水し、その後、水槽３３内に再び注水してすすぎ行程が実施され、最後に、脱水行程が実施される。
【００２４】
この脱水行程では高速回転させる為、回転ドラム３４内の衣類のアンバランスの状態が大きい場合や回転数が高い場合に、水槽３３の軸受保持部材４３の外周付近の応力値が大きくなったり、変形ポイントが集中したりするが、脱水回転数の低いタイプの洗濯機では、負荷も低いので水槽３３には補強部材５１を取り付けずに、信頼性の確保が出来る。
【００２５】
一方、高速脱水仕様の洗濯機では、水槽３３の凸リブ４８上のボス部Ａ４９と外側のボス部Ｂ５０に補強部材５１をネジで固着しているので、水槽３３の軸受保持部材４３の外周付近の応力値は緩和され、また、変形ポイントの集中を防止でき、軸受保持部材４３をインサートした水槽３３の標準化を図った上で、より高度な脱水性能を追求しながら、信頼性の確保ができる。
【産業上の利用可能性】
【００２６】
以上のように、本発明にかかるドラム式洗濯機は、普及タイプのドラム式洗濯機には、インサート成形による軸受保持部材の小型化を実現して原価力を向上させ、高級タイプのより高度な脱水性能を追求する機種には、軸受保持部材の外周近傍に環状の凸リブに近接して補強部材をネジ止め可能なボス部を形成することにより、補強部材を追加可能としてあるので信頼性の確保が十分でき、標準化の向上が図ることができるので、家庭用、業務用洗濯機、洗浄装置等に有用である。
【図面の簡単な説明】
【００２７】
【図１】本発明の実施の形態１におけるドラム式洗濯機の概略断面図
【図２】同ドラム式洗濯機の要部断面図
【図３】同ドラム式洗濯機の水槽の断面図
【図４】従来のドラム式洗濯機の概略断面図
【符号の説明】
【００２８】
３３  水槽
３４  回転ドラム
４０  モータ
４３  軸受保持部材
４８  凸リブ
４９  ボス部Ａ（ボス部）
５１  補強部材
【図１】
0004577166.tif 000002
【図２】
0004577166.tif 000003
【図３】
0004577166.tif 000004
【図４】
0004577166.tif 000005